(57)【要約】      （修正有）【課題】ディスプレイ装置を備えたマグカップ等の容器の提供。【解決手段】コーヒーマグは、液体１０２と容器１００の周囲の環境との間の温度差から電気エネルギーを回収するためのペルチェ素子等のエネルギー回収素子１０１を含む。さらに、コーヒーマグは、データ処理装置１０３、ディスプレイ装置、及び外部アプリケーションシステムからのデータを無線で受信するためのデータ通信装置１０５を含む。エネルギー回収素子１０１は、データ通信装置１０５、データ処理装置１０３、及びディスプレイ装置に電気エネルギーを供給するように構成される。それから、データ処理装置１０３は、データを、データ通信装置１０５を介して受信し、受信したデータを表示するディスプレイ装置を制御する。【選択図】図５
2016002451.tif 000002
【特許請求の範囲】
【請求項１】
液体を中に入れるためのマグカップ又はコーヒーマグ等の容器であって、
前記容器は、
前記液体と前記容器の周囲の環境との間の温度差から電気エネルギーを回収するためのペルチェ素子等のエネルギー回収素子と、
データ処理装置と、
ディスプレイ装置と、
外部アプリケーションシステムからデータを無線で受信するためのデータ通信装置とを備え、
前記エネルギー回収素子が前記データ通信装置、前記データ処理装置、及び前記ディスプレイ装置に電気エネルギーを供給するように構成されると、前記データ処理装置は、前記データを、前記データ通信装置を介して受信し、前記の受信したデータを表示するための前記ディスプレイ装置を制御するように構成される容器。
【請求項２】
前記容器は、前記容器を形成するために、相互に内側で連結される内部容器構造及び外部容器構造を含み、
前記ディスプレイ装置は、前記外部容器構造及び前記内部容器構造の間に連結され、
前記ディスプレイ装置は、前記内部容器構造から絶縁される、請求項１に記載の容器。
【請求項３】
前記外部容器構造は、前記容器の支持構造を形成するように構成され、
前記内部容器構造は、前記液体を中に入れるための前記容器の受器部を形成するように構成される、請求項２に記載の容器。
【請求項４】
前記エネルギー回収素子は、主要部を備え、熱エネルギーが前記主要部にそしてまたエネルギー回収素子のために伝導するよう構成されるように、前記内部容器構造に連結され又は連結するように構成される、請求項２に記載の容器。
【請求項５】
前記エネルギー回収素子は、熱伝導インターフェース素子が前記容器の中に入った前記液体に面するよう配置されるように、熱伝導インターフェース素子に連結され又は熱伝導インターフェース素子を備え、前記内部容器構造に連結される、請求項２に記載の容器。
【請求項６】
前記エネルギー回収素子は、弾性的な方法で前記容器の構造に連結される、請求項１に記載の容器。
【請求項７】
前記エネルギー回収素子からの電線は、前記容器の構造の表面と一体化し、前記ディスプレイ装置に連結されるように構成される、請求項１に記載の容器。
【請求項８】
前記容器は、前記容器の加速度を測定するように構成された加速度計又はジャイロ装置を含む、請求項１に記載の容器。
【請求項９】
前記容器は、前記の測定した加速度データを、ユーザインターフェース入力データとして使用するように構成される、請求項８に記載の容器。
【請求項１０】
前記容器は、前記のデータ通信を制御し、及び／又は、前記の測定した加速度に基づいて、前記ディスプレイ装置に表示される前記データを変更するように構成される、請求項８に記載の容器。
【請求項１１】
前記容器は、前記の測定した加速度データに基づいて、ユーザの飲む習慣を決定し、前記ユーザの前記飲む習慣に関連する情報を、前記容器の前記ディスプレイ装置を介して表示し、及び／又は、前記ユーザの前記飲む習慣に関連する情報を、前記データ通信装置を介して前記外部アプリケーションシステムに送信するように構成される、請求項８に記載の容器。
【請求項１２】
前記ディスプレイ装置は、電子ペーパー、ＴＦＴディスプレイ、ドットマトリクスディスプレイ又はセグメントディスプレイ、白黒ディスプレイ、グレースケールディスプレイ、カラーディスプレイ、ホログラムディスプレイ、又はタッチセンサー方式ディスプレイを含み、及び／又は前記ディスプレイ装置は、湾曲ディスプレイ又は屈曲したディスプレイである、請求項１に記載の容器。
【請求項１３】
前記容器は、ＧＰＳ又は局所的測位装置等の測位装置を含む、請求項１に記載の容器。
【請求項１４】
前記容器が前記ディスプレイ装置に表示される地図データを備えるように構成されると、前記容器は、測位データ及び対応する地図データを使用するナビゲーション装置として機能するように構成される、請求項１３に記載の容器。
【請求項１５】
前記容器は、バーコード、二次元バーコード、若しくはＲＦＩＤタグ又はＮＦＣタグ等の前記容器の外側で読み取り可能な識別装置を含む、請求項１に記載の容器。
【請求項１６】
前記容器が電気容量検出器又は電気光学式検出器を含む液面水位測定装置を含むと、前記データ処理装置は、前記の測定した液面水位を表示するディスプレイ装置を制御するように構成され、又は、前記容器は、前記容器内の前記液体の前記液面水位を示すように配置された透明部を含む、請求項１に記載の容器。
【請求項１７】
前記容器が熱電対素子を含む温度測定装置を含むと、前記データ処理装置が、前記の測定した温度を表示する前記ディスプレイ装置を制御するように構成される、請求項１に記載の容器。
【請求項１８】
前記容器が濃度レベル及び／又は焙煎レベルを測定するための電気光学検出器を含む濃度レベル測定装置及び／又は焙煎レベル測定装置を含むと、前記データ処理装置は、前記容器の内容物の前記の測定した濃度レベル及び／又は焙煎レベルを表示する前記ディスプレイ装置を制御するように構成される、請求項１に記載の容器。
【請求項１９】
液体を中に入れるマグカップ、特に、コーヒーマグ等の容器と通信するための通信システムであって、
前記通信システムは、前記容器と通信されるデータを管理するためのアプリケーションシステムを含み、
前記容器は、
前記液体と前記容器の周囲の環境との間の温度差から電気エネルギーを回収するためのペルチェ素子等のエネルギー回収素子と、
データ処理装置と、
ディスプレイ装置と、
前記アプリケーションシステムからデータを無線で受信するためのデータ通信装置とを含み、
前記エネルギー回収素子が前記データ通信装置、前記データ処理装置、及び前記ディスプレイ装置に電気エネルギーを供給するように構成されると、前記データ処理装置は、前記データを、前記データ通信装置を介して受信し、前記の受信したデータを表示するための前記ディスプレイ装置を制御するように構成される通信システム。
【請求項２０】
前記アプリケーションシステムは、ユーザアカウントへのアクセス権を有し、
前記アプリケーションシステム又は前記ユーザアカウントは、表示されるために前記容器の前記データ通信装置に送信されるデータを、他のユーザ又は他のアプリケーションから受信するように構成される、請求項１９に記載の通信システム。
【請求項２１】
前記容器の前記データ通信装置と前記通信システムの前記アプリケーションシステムとの間のデータ通信は、移動体通信装置のデータ転送装置を介して配置される、請求項１９に記載の通信システム。
【請求項２２】
前記容器は、前記容器の外側で読み取り可能な識別装置を含む、請求項１９に記載の通信システム。
【請求項２３】
前記通信システムは、コーヒーマシンを含む液体製造装置を含み、
前記液体製造装置は、前記容器の前記識別装置を読み取るための読み取り機を含む、請求項２２に記載の通信システム。
【請求項２４】
前記通信システムは、前記識別装置から前記の読み取った識別情報に基づいてユーザアカウントに格納されたユーザ嗜好を決定するように構成され、
前記液体製造装置は、前記の決定したユーザ嗜好に従って液体組成物を製造するように構成される、請求項２３に記載の通信システム。
【発明の詳細な説明】
【技術分野】
【０００１】
本発明は、ディスプレイ装置を備えたマグカップ等の容器、特に、コーヒー等の液体を中に入れるための、ディスプレイ装置を備えたコーヒーマグに関する。
【背景技術】
【０００２】
文字列、グラフィックス、又は図形を備えるマグカップ等の複数の異なるタイプの容器は、知られている。さらに、ディスプレイ装置を備えた容器も、先行技術文献によって知られている。容器は、容器の記憶手段に初めに格納された、文字列、グラフィックス、又はそれらの結合等の特定の視覚効果を表示するためのディスプレイを有する。
【０００３】
しかしながら、容器の記憶手段に前もって又は初めに格納された文字列又はグラフィックスを非常に限られた方法で表示する等の既知の先行技術文献に関連するという問題がある。このように、既知の装置又は容器は、異なる種類のコンテンツ、特に更新可能なコンテンツを表示することを簡単に修正できない。
【発明の概要】
【発明が解決しようとする課題】
【０００４】
本発明の目的は、既知の先行技術に関する問題を軽減及び排除することである。特に、本発明の目的は、表示されるコンテンツを簡単に更新するようなディスプレイ装置を備えた容器を実現することである。さらに、本発明の目的は、バッテリー又は取り付けられた他のエネルギー貯蔵の必要性がないように、エネルギーを効果的に供給する装置を備えた容器を実現することである。
【課題を解決するための手段】
【０００５】
本発明の目的は、独立請求項の特徴によって実現できる。
【０００６】
本発明は、請求項１によれば、液体を中に入れるための容器に関する。さらに、本発明は、請求項１９によれば、容器と通信するための通信システムに関する。
【０００７】
本発明の容器の実施形態によれば、ホットコーヒー等の暑い又は寒い液体又は飲料を中に入れるためのマグカップ等の容器、特に、コーヒーマグは、ここに提供（ｈｅｒｅｂｙ  ｐｒｏｖｉｄｅｄ）される。容器は、液体と容器の周囲の環境との温度差によって生成される電気エネルギーを回収するためのペルチェ素子等のエネルギー回収素子を含む。容器は、マイクロプロセッサ等のデータ処理装置、剛体平面（ｒｉｇｉｄ  ｆｌａｔ）又は剛体曲面（ｒｉｇｉｄ  ｃｕｒｖｅｄ）の電子ペーパーのディスプレイ等のディスプレイ装置、及び、ディスプレイ装置を介して表示される、外部アプリケーションシステムからのデータを無線で受信するためのＢｌｕｅｔｏｏｔｈ（登録商標）又は同様の技術等のデータ通信装置も含む。
【０００８】
エネルギー回収素子は、（周囲の温度との関係で）暑い（又は、冷たい）液体が容器に注ぎ込まれたときに、データ通信装置、データ処理装置、及びディスプレイ装置に電気エネルギーを供給するように構成される。データ処理装置は、電気エネルギーを供給されたときに、スマートフォン等で実行されるアプリケーション等の外部アプリケーションにデータ接続を確立し、データを、データ通信装置を介して受信するように構成される。容器のデータ通信装置は、クラウドベースのシステム等の制御システムとのデータ接続を、スマートフォン等を介して確立してもよい。制御システムは、容器に送信され、そしてまた表示されるディスプレイに送信されるデータ通信量を制御するためのアプリケーションを有する。データ処理装置は、受信したデータを表示するディスプレイ装置も制御する。
【０００９】
さらに、容器は、暑い内容物又は冷たい内容物が容器に注ぎ込まれたときに、表示できる文字列、静止画データ、又は動画データ等のデータを格納するための記憶装置（ｍｅｍｏｒｙ  ｄｅｖｉｃｅ）も含む。
【００１０】
有利な実施形態によれば、容器は、容器を形成するように相互に内側で連結できる、内部容器構造及び外部容器構造を含む。一例によれば、二つの構造は、接着、レーザー溶接、又は超音波溶接等によって相互に連結されてもよい。しかしながら、一実施形態によれば、内部容器構造の少なくとも一部又は全部は、取り外し可能な方法で又は解放可能な方法で外部容器構造又は他の容器構造と連結されるように構成されると、内部容器構造の洗浄が簡単になり、装置又はエネルギー回収素子等の容器の脆弱部分は、外部容器構造に取り付けられ、又は、外部容器構造及び内部容器構造の間に配置される。それから、容器は、カップホルダーとして機能し、食器洗い機又は電子レンジを使用する機会を提供する。
【００１１】
ディスプレイ装置は、ディスプレイ及び他の部品（ｃｏｍｐｏｎｅｎｔｓ）のための環境保護の目的のために、外部容器構造及び内部容器構造の間に連結されてもよい。ディスプレイ装置は、内部容器構造から熱的に絶縁されることが好ましい。これによって、暑い液体及び熱膨張によるディスプレイ構造の被害が回避できる。絶縁は、空気ギャップ又はガスギャップ、若しくは他の絶縁材によって実装できる。さらに、二重構造（内部及び外部）によって、熱漏れ（ｔｈｅｒｍａｌ  ｌｅａｋａｇｅｓ）及び容器の内容物の冷却が最小化できる。
【００１２】
一例によれば、エネルギー回収素子は、主要部（ｍａｓｓ  ｐｏｒｔｉｏｎ）を備えてもよい。エネルギー回収素子は、熱エネルギーが主要部にそしてまたエネルギー回収素子のために伝導するよう構成されるように、内部容器構造に連結される。このように、エネルギー回収素子が主要部とともに内部容器構造と連結されるときに、熱エネルギーの過剰な部分（ｅｘｃｅｓｓ  ｐｏｒｔｉｏｎ）は、主要部に格納できると、エネルギー回収素子は、容器が空のときでさえも、主要部に格納された熱エネルギーを使用してもよい。一実施形態によれば、主要部は、エネルギー回収素子と、周囲の環境との間の温度差を保つために使用されてもよい。さらに、容器は、スーパーコンデンサ（ｓｕｐｅｒ  ｃａｐａｃｉｔｏｒ）、再充電可能なバッテリー等の付加的なエネルギー貯蔵（ｅｎｅｒｇｙ  ｓｔｏｒａｇｅ）を含んでもよい。そしてそれは、温度差から電気エネルギーを変換するときにエネルギー回収素子によって読み込みできる。このように、格納した電気エネルギーは、後にこれらの付加的なエネルギー貯蔵から使用できる。
【００１３】
エネルギー回収素子は、シリコン、覆いかぶさった金属板、プラスチック又はゴムによって取り囲まれた金属素子、若しくは内部部分の射出成形前に金属又は他の高熱伝導粉体（ｈｉｇｈｌｙ  ｔｈｅｒｍａｌ  ｃｏｎｄｕｃｔｉｖｅ  ｍａｔｅｒｉａｌ  ｐｏｗｄｅｒ）を射出成形高分子（ｉｎｊｅｃｔｉｏｎ  ｍｏｕｌｄｉｎｇ  ｐｏｌｙｍｅｒ）に加えることによってアルミニウム等の金属及びプラスチックを混合した複合素子等の熱伝導インターフェース素子を介して容器の内部構造に連結されることが好ましい。熱伝導インターフェース素子は、容器の中に入れられた液体に面するように配置されることが好ましい。さらに、エネルギー回収素子は、マグカップの内部容器構造へ、及び／又は、エネルギー回収素子への熱膨張と潜在的な被害との平衡を保つために、弾性的な方法で（ｉｎ  ａｎ  ｅｌａｓｔｉｃ  ｍａｎｎｅｒ）、容器の構造に連結されることが好ましい。これらの特徴は、明らかな利点を提供する。すなわち、そうでなければ、エネルギー回収素子が液体に直接的に接触することにより、健康上のリスク及び脆弱なエネルギー回収素子が生じるだろう。さらに、暑い液体又は冷たい液体との直接的な熱接触は、エネルギー回収素子に非常に急速な熱膨張を生じさせ、（強固な（ｒｉｇｉｄ））エネルギー回収素子の構造は、物理的に壊れてしまうかもしれない。
【００１４】
容器は、エネルギー回収素子からエネルギー貯蔵、データ処理装置、ディスプレイ装置、及びデータ通信装置等の容器の電気部品への電線を必然的に含む。電線は、容器の構造の表面に三次元構造として一体化されることが好ましい。
【００１５】
一実施形態によれば、容器は、容器の加速度を測定するための加速度計又はジャイロ装置（ｇｙｒｏｓｃｏｐｅ  ｄｅｖｉｃｅ）も含んでもよい。加速度データは、ディスプレイ上の文字列、図形等の表示されたデータを制御すること等のユーザインターフェース入力データとして使用できる。容器は、準備（ｐｒｅｌｉｍｉｎａｒｙ）して教示（ｔａｕｇｈｔ）された動き、パターン、又は加速度等によって、教示されると、加速度データは、新たなデータを受信すること等のデータ通信を制御すること、及び／又は、測定された加速度に基づいて、ディスプレイ装置に表示されたデータを変更することに使用できる。例えば、表示される図形、写真、又はページは、変更でき、ディスプレイは、マグカップを回転させる、傾ける、又は振ることによって、若しくはゴクリと飲む又は飲み干したときに初期化（ｒｅｓｅｔ）又はクリア（ｃｌｅａｒ）できる。
【００１６】
さらに、容器は、測定された加速度データ及び傾斜データ（ｔｉｌｔｉｎｇ  ｄａｔａ）に基づいて、ユーザの飲む習慣（ｄｒｉｎｋｉｎｇ  ｈａｂｉｔ）を決定してもよい。このようにユーザの飲む習慣に関する任意の情報は、容器のディスプレイ装置によって表示されてもよく、容器のデータ通信装置を介して外部アプリケーションシステムに送信されてもよい。
【００１７】
ディスプレイ装置は、様々な方法で実装されてもよいものの、一例によれば、ディスプレイ装置は、電子ペーパー、ＴＦＴディスプレイ、ドットマトリクスディスプレイ（ｄｏｔ  ｍａｔｒｉｘ  ｄｉｓｐｌａｙ）又はセグメントディスプレイ（ｓｅｇｍｅｎｔｅｄ  ｄｉｓｐｌａｙ）、白黒ディスプレイ、グレースケールディスプレイ（ｇｒｅｙ  ｓｃａｌｅ  ｄｉｓｐｌａｙ）、カラーディスプレイ、ホログラムディスプレイ（ｈｏｌｏｇｒａｍ  ｄｉｓｐｌａｙ）、又はタッチセンサー式ディスプレイ（ｔｏｕｃｈ  ｓｅｎｓｉｔｉｖｅ  ｄｉｓｐｌａｙ）を含む。ディスプレイ装置は、高分子を含む湾曲ディスプレイ又は屈曲したディスプレイであってもよい。ディスプレイ装置は、強固なディスプレイ装置であることが好ましい。さらに例えば、電子ペーパーディスプレイ装置は、優れた利点を提供する。すなわち、電子ペーパーディスプレイ装置は、画像が固定された画像であり、読み込んだ後に電気エネルギーを必要としないため、マグカップが空になったときでさえ、データを表示できる。
【００１８】
さらに、容器は、タッチセンサー式の画面又は表面を含む。そしてそれは、ユーザが広告データ等を受け入れるときに作動されるよう構成されてもよい。このように、タッチセンサー式の画面又は表面は、一定の短時間のみオンになるため、実装は、エネルギーを節約し、誤操作を防止される。
【００１９】
容器は、屋外の測位のためのＧＰＳ、又は、ｉＢｅａｃｏｎ（登録商標）等のセルラーネットワークによる測位、ＷｉＦｉ（登録商標）又はＢｌｕｅｔｏｏｔｈ（登録商標）による測位に基づいた測位装置等の局所的な測位装置等の測位装置を含んでもよい。このように、容器がディスプレイ装置に表示される地図データを備えると、容器は、ナビゲーションのための測位データと対応する地図データとを使用するナビゲーション装置として使用できる。
【００２０】
容器は、バーコード、二次元バーコード、若しくはＲＦＩＤタグ又はＮＦＣタグ等の容器の外側で読み取り可能な識別装置を含んでもよい。このように、容器は、外側で識別でき、識別データは、アプリケーション又はデータ通信量を制御すること若しくは容器に転送されるコンテンツに使用できる。容器がアプリケーション及びユーザアカウントと一組にされると、容器は、モバイルウォレット（ｍｏｂｉｌｅ  ｗａｌｌｅｔ）として使用できてもよい。一実施形態によれば、コーヒーマシン等の自動販売機が容器の識別装置を読み取るための読み取り機を含むと、ユーザは、ＰＩＮコード等で購入行動（ｐｕｒｃｈａｓｅ  ａｃｔｉｏｎ）にアクセス（ａｃｃｅｓｓ）してもよく、又は、識別装置を有する容器の読み取り機に「タッチする（ｔｏｕｃｈｉｎｇ）」のみでさえもよい。そして、自動販売機は、ユーザアカウントに請求（ｃｈａｒｇｅ）し、コーヒー等の内容物で容器を満たしてもよい。
【００２１】
一例によれば、容器は、電気容量検出器又は電気光学式検出器等の液面水位測定装置を含んでもよい。データ処理装置は、測定された液体水面水位又はリアルタイムの液体水面水位を表示するディスプレイ装置を制御するように構成されてもよい。容器は、容器内の液面水位を直接的に示すように配置された透明部を含んでもよい。容器は、（容器内の液体の透明度又は反射率を測定し、所定のデータと比較することにより）濃度レベル及び／又は焙煎レベル（ｒｏａｓｔｉｎｇ  ｌｅｖｅｌ）を測定するための電気光学式検出器等の濃度レベル測定装置及び／又は焙煎レベル測定装置ばかりでなく、熱電対素子（ｔｈｅｒｍｏｃｏｕｐｌｅ  ｅｌｅｍｅｎｔ）、ＮＴＣ素子、又はＰＴＣ素子、非接触赤外線素子（ｃｏｎｔａｃｔｌｅｓｓ  ｉｎｆｒａ−ｒｅｄ  ｅｌｅｍｅｎｔ）等の温度測定装置も含むと、データ処理装置は、容器の内容物の測定した温度、濃度レベル及び／又は焙煎レベルを表示するディスプレイ装置を制御してもよい。
【００２２】
一実施形態によれば、容器は、アプリケーション又はアプリケーションを有する通信システムとデータ通信してもよい。アプリケーションは、データストレージ又はウォレット型実装（ｗａｌｌｅｔ  ｔｙｐｅ  ｉｍｐｌｅｍｅｎｔａｔｉｏｎ）等のアカウントに関連した他のユーザを管理するだけでなく、容器へのデータ通信量等を制御するために使用できる。アプリケーションがユーザアカウントへのアクセス権等を有すると、アプリケーション又はユーザアカウントは、アプリケーションの他のユーザ（又は、Ｆａｃｅｂｏｏｋ（登録商標）、Ｉｎｓｔａｇｒａｍ（登録商標）、カレンダー、時刻表（ｔｉｍｅ  ｔａｂｌｅ）、ｅメールアカウント等の現在のアプリケーションに連動（ｌｉｎｋ  ｗｉｔｈ）する他のアプリケーションからデータを受信してもよい。このように、アプリケーションは、容器のデータ通信装置に送信されることにより表示されるデータを制御してもよい。また、異なる種類の広告データ、日付情報、ＲＳＳフィード（ＲＳＳ  ｆｅｅｄ）、ニュース情報、チャットメッセージ、ＳＭＳメッセージ又はＭＭＳメッセージ、電子書籍データ、静止画データ、動画データ、時刻表、又はアナウンス（ａｎｎｏｕｎｃｅｍｅｎｔｓ）も、他のデータもアプリケーションそしてまた容器に送信又はアップロードできる。容器は、携帯電話、スマートフォン、ラップトップコンピュータ又は卓上コンピュータ（ｔａｂｌｅ  ｃｏｍｐｕｔｅｒ）等の外部データ処理装置又は移動体通信装置を介してアプリケーションとデータ通信すると、外部データ処理装置は、アプリケーションとデータ接続を確立することが好ましいことに留意すべきである。アプリケーションは、外部データ処理装置、移動体通信装置、又はサーバコンピュータ又はクラウドベースのシステム等の他の環境で実行されてもよい。
【００２３】
一実施形態によれば、ユーザ嗜好は、アプリケーション又は（通信システム、データ処理装置、移動体通信装置、又はサーバコンピュータ、クラウドベースのシステム等の他の環境で実行する）アプリケーションのユーザアカウントから決定できる。例えば、コーヒーマシン等は、容器の識別装置から読み取った識別情報に基づいてユーザアカウントに格納されるユーザ嗜好を決定すると、コーヒーマシン等は、決定されたユーザ嗜好に従って好まれる追加（ミルク、砂糖）のコーヒーの濃度（ｓｔｒｅｎｇｔｈ）、焙煎レベル、温度、及びボリューム（ｖｏｌｕｍｅ）等の液体組成物（ｌｉｑｕｉｄ  ｄｏｍｐｏｓｉｔｉｏｎ）を製造する。
【００２４】
本発明は、既知の先行技術を超える利点を提供する。本発明の一例によれば、容器又はコーヒーマグは、カップの側面上の絵柄を生成するために、コーヒーからの熱を使用する（加熱によって作動する電子インクディスプレイは一例である）。さらに本発明は、ソーシャルメディア又は他のメディア等からの異なる種類のデータが非常に柔軟な方法で読み取り、通信、及び表示できるように、全体の通信システムだけでなく、マグカップ、アプリケーションを提供する。さらに、本発明は、支払い目的だけでなく、日付等のデータ通信のために、ユーザを識別するための識別装置としてマグカップを使用可能にする。また、ユーザの習慣及び他のパラメータは、マグカップの使用中に簡単に測定でき、より深い分析のためにアプリケーションに通信される。マグカップが満たされると毎回、ユーザは、マグカップの画面に新たな、驚くべき、動く絵柄を発見できる。絵柄は、スマートフォンからアップロードされても、アプリケーションを介して、又は、クラウドサーバ等からのＷｉＦｉ（登録商標）ルーター等を介して直接的にマグカップの画面に絵柄をアップロードすることによりユーザを驚かすことを友達にさせてもよい。マグカップのディスプレイのコンテンツは、いつでも変更できる。写真は、モバイルアプリケーションを使用してアップロードされることが好ましい。
【図面の簡単な説明】
【００２５】
次に、本発明は、添付した図面に従って典型的な実施形態を参照してより詳細に説明される。
【図１】マグカップ等、特に、本発明の有利な実施形態に従って液体を中に入れるためのコーヒーマグの典型的な容器の原理を示す。
【図２】マグカップ等、特に、本発明の有利な実施形態に従って液体を中に入れるためのコーヒーマグの典型的な容器の原理を示す。
【図３】マグカップ等、特に、本発明の有利な実施形態に従って液体を中に入れるためのコーヒーマグの典型的な容器の原理を示す。
【図４】本発明の有利な実施形態に従って典型的な容器構造の原理を示す。
【図５】本発明の有利な実施形態に従って典型的な容器構造の原理を示す。
【図６】本発明の有利な実施形態に従って容器の典型的なユーザインターフェースの原理を示す。
【図７】本発明の有利な実施形態に従って容器の典型的なユーザインターフェースの原理を示す。
【図８】本発明の有利な実施形態に従って容器と通信するための典型的な通信システムの原理を示す。
【発明を実施するための形態】
【００２６】
図１〜３は、液体を中に入れるための容器１００のような典型的なマグカップ又はカップ、特に、コーヒーマグの原理を図示する。図４，５は、本発明の有利な実施形態に従って典型的な容器構造の原理を図示する。マグカップ１００は、液体１０２と容器１００の周囲の環境との間の温度差によって生成された電気エネルギーを回収するためのエネルギー回収素子１０１を含む。容器１００は、データ処理装置のようなマイクロプロセッサ１０３、ディスプレイ装置１０４、及びディスプレイ装置を介して表示されるように外部アプリケーションシステムからデータを無線で受信するためのデータ通信装置１０５を含む。容器１００は、暑い内容物又は冷たい内容物が容器１００に注ぎ込まれるときに表示１０４できるデータを格納するための記憶装置１０６を含んでもよい。
【００２７】
容器は、容器を形成するために相互に内側で連結できる内部容器構造１０７及び外部容器構造１０８を含む。ディスプレイ装置１０４は、外部容器構造１０８と内部容器構造１０７との間に連結されてもよい。ディスプレイ及び表示されたデータが見えるように外部容器構造へ設けられた窓１０９があることが好ましい。
【００２８】
マグカップは、熱エネルギーの過剰部分がエネルギー回収素子１０１の後の使用のために主要部へ蓄えられ、暑い内容物又は冷たい内容物から主要部そしてまたエネルギー回収素子１０１へ移動されるように、エネルギー回収素子１０１に連結される主要部１１０を含んでもよい。容器１００は、スーパーコンデンサ又はバッテリー等の付加的なエネルギー貯蔵１１１を含んでもよい。エネルギー回収素子１０１は、熱伝導インターフェース素子１１２を介して容器の内部構造に連結されることが好ましい。
【００２９】
容器１００は、エネルギー回収素子からエネルギー貯蔵、データ処理装置、ディスプレイ装置、及び／又はデータ通信装置等の容器の電気部品（ｅｌｅｃｔｒｉｃ  ｃｏｍｐｏｎｅｎｔｓ）への電線１１３も含む。電線は、容器の構造の表面上に三次元構造として一体化（ｉｎｔｅｇｒａｔｅｄ）されることが好ましい。
【００３０】
図６，７は、本発明の有利な実施形態に従って容器の典型的なユーザインターフェースの原理を図示する。例えば、容器１００は、光電部品（ｏｐｔｏ−ｅｌｅｃｔｒｉｃ  ｃｏｍｐｏｎｅｎｔ）（発光フォトダイオード（ｅｍｉｓｓｉｏｎ  ｐｈｏｔｏ  ｄｉｏｄｅ）及び対応する受器検出器装置（ｒｅｃｅｉｖｅｒ  ｄｅｔｅｃｔｏｒ  ｄｅｖｉｃｅ））等の液面水位測定装置１１５又は容器内の液体の液面水位を示すように配置された透明部１１６だけでなく、容器の加速度を測定するための加速度計１１４又はジャイロ装置を含んでもよい。容器１００は温度測定装置１１７を含んでもよい。これらの装置は、容器の内容物の測定した値（液面水位、温度、濃度レベル及び／又は焙煎レベル）を表示するディスプレイ装置１０４を制御してもよいデータ処理装置１０３に接続されることが好ましい。容器１００は、測位装置１１８を含んでもよい。容器１００は、タッチセンサー式画面、表面、又はディスプレイ１１９及び容器１００の外側で読み取り可能な識別装置１２０を含んでもよい。
【００３１】
図８は、本発明の有利な実施形態に従って容器１００と通信するための典型的な通信システム２００の原理を図示する。マグカップ１００は、アプリケーション２０２とデータ通信（ｄａｔａ  ｃｏｍｍｕｎｉｃａｔｉｏｎ）２０１する。アプリケーション２０２（又は少なくともその一部）が携帯電話、スマートフォン２０３、ラップトップコンピュータ又は卓上コンピュータ等の移動体通信装置２０３等の外部データ処理装置上に位置し実行されると、外部データ処理装置は、マグカップ１００とアプリケーション２０２との間のデータ接続（ｄａｔａ  ｃｏｎｎｅｃｔｉｏｎ）２０１を確立してもよい。（ユーザアカウント及び他のデータストレージ等の）アプリケーション２０２又は少なくともその一部は、適切な記憶装置２０５及びデータ処理装置を有するサーバコンピュータ又はクラウドベースのシステム２０４等の他の環境で実行されてもよいことに留意すべきである。適切な記憶装置２０５及びデータ処理装置は、カレンダー、時刻表、ｅメールアカウント、日付情報、ＲＳＳフィード、ニュース情報、チャットメッセージ、ＳＭＳメッセージ又はＭＭＳメッセージ、電子書籍データ、静止画データ、動画データ、又はアナウンス（ａｎｎｏｕｎｃｅｍｅｎｔｓ）等だけでなく、Ｆａｃｅｂｏｏｋ（登録商標）、Ｉｎｓｔａｇｒａｍ（登録商標）、広告データベース等のソーシャルメディア環境（ｓｏｃｉａｌ  ｍｅｄｉａ  ｅｎｖｉｒｏｎｍｅｎｔｓ）とデータ通信することが好ましい。また、他のデータは、アプリケーション２０２に送信又はアップロードでき、そしてまたデータ接続２０１を介してマグカップに送信又はアップロードできる。
【００３２】
アプリケーション２０２は、データストレージ又はウォレット型実装等のアカウントに関連する他のユーザを管理するだけでなく、マグカップへのデータ通信量２０１等を制御するために使用できる。さらに、加速度データ等の、測定されたデータ又は決定されたデータは、マグカップ１００からアプリケーション２０２に送信されると、アプリケーション２０２は、データを分析し、測定された加速度データに基づいてユーザの飲む習慣を決定してもよい。マグカップが分析及び決定を実行してもよいことに留意すべきである。しかしながら、処理電力及び処理エネルギーを節約し、高処理能力を備える外部装置（２０３，２０４）が分析を実行できるように、測定された生データ（ｒａｗ  ｄａｔａ）をより合理的に送信してもよい。外部装置（２０３，２０４）は、分析されたデータ又は送信２０１されたデータのいずれかを格納することにより、マグカップ１００は、それを、マグカップのディスプレイ１０４を介して表示する。また、ユーザ嗜好又はデータに関連する他のユーザは、アプリケーション２０２に格納されてもよい。
【００３３】
通信システム２００は、コーヒーマシン２０６等の自動販売機を含んでもよい。自動販売機は、容器１００の識別装置１２０を読み取るための読み取り機２０７を含むことが好ましい。自動販売機２０６は、アプリケーション２０２とデータ接続２０８すると、自動販売機２０６は、マグカップの識別装置１２０から読み取った識別情報に基づいてユーザアカウント２０２に格納されるユーザ嗜好を決定できる。
【００３４】
このように、コーヒーマシン２０６は、決定されたユーザ嗜好に従って、好まれる追加（ミルク、砂糖）のコーヒーの濃度、焙煎レベル、温度、及び量等のコーヒー組成物（ｃｏｆｆｅｅ  ｃｏｍｐｏｓｉｔｉｏｎ）を製造してもよい。これらのデータは、マグカップの記憶装置１０６に格納（又は、受信（ｒｅｃｅｉｖｅ））できることに留意すべきである。データはスマートフォン２０３等を介して、又は、データ処理装置１０３及び対応するデータ通信装置１０５を介してアプリケーションから受信できる。
【００３５】
一実施形態によれば、マグカップ１００は、財布として使用することにより、支払い行為ができる。一例によれば、自動販売機は、マグカップを識別し、合計をアプリケーションに送信することにより、ユーザアカウントに請求する。一例によれば、ユーザは、請求を承認する（例えば、スマートフォン等のユーザインターフェースを介して、又は、カップの所定の動きを実行することによって請求を承認し、カップの所定の動きは、マグカップの加速度測定装置によって検出される）ためにＰＩＮコード等をアプリケーションに対して入力する必要性があってもよい。
【００３６】
本発明は、前述の実施形態を参照して上記に説明した。本発明のいくつかの利点を明示した。本発明がこれらの実施形態のみに限定されないことは明らかであるものの、本発明の考え及び請求項の精神及び領域の範囲内の全ての可能な実施形態を含む。コーヒーマグが本明細書に説明されていても、一例にすぎないと理解すべきであり、全ての適切な容器は、本発明下にあると理解できる。さらに、加速度を測定するための付加的な装置が内容物（マグカップの中の液体）の動き、特性、及びパラメータを提示する場合、マグカップ（又は、他の容器）は、ユーザの心拍数を測定し、表示し、アプリケーションに送信するための脈拍計等の他のパラメータを測定するための他の装置を含んでもよい。また、他の測定されたデータ又は決定されたデータは、アプリケーションに送信でき、そしてまた（所望であれば）地理的位置及び（例えば、測定された濃度、焙煎レベル、温度、及び／又は加速度データに基づいて）ユーザがコーヒーを飲んでいること等のソーシャルメディアサービスに送信できる。データをアプリケーションに送信又はアップロードするためのアクセス権又は承認は、ユーザから要求されてもよい。
【図１】
2016002451.tif 000003
【図２】
2016002451.tif 000004
【図３】
2016002451.tif 000005
【図４】
2016002451.tif 000006
【図５】
2016002451.tif 000007
【図６】
2016002451.tif 000008
【図７】
2016002451.tif 000009
【図８】
2016002451.tif 000010
【外国語明細書】
2016002451000001.pdf